(57)【要約】　　　（修正有）【課題】油性および脂肪性汚れの存在下で泡の持続性を発揮する手洗い用台所洗剤を提供する。【解決手段】少なくとも２種類のアニオン界面活性剤、ポリエチレングリコール、水、及びヒドロトロープ、無機塩及びそれらの混合物から選択される相安定剤を含有する台所洗剤において、該台所洗剤が実質的にアルキルポリグリコシド界面活性剤を含まず、そして４００〜１０００の分子量を有するポリエチレングリコールを０．５〜１０重量％含有する台所洗剤。【選択図】　　なし【特許請求の範囲】
【請求項１】
少なくとも２種の異なるアニオン界面活性剤を含有するアニオン界面活性剤混合物、ポリエチレングリコール、水、およびヒドロトロープ、無機塩およびそれらの混合物よりなる群から選択される相安定剤を含有する台所洗剤において、該台所洗剤が実質的にアルキルポリグリコシド界面活性剤を含有しておらず、そして４００〜１０００の範囲内の分子量を有するポリエチレングリコールが台所洗剤の０．５〜１０重量％含まれることを特徴とする、上記台所洗剤。
【請求項２】
実質的に
水；
５〜３０重量％のアニオン界面活性剤；
５〜３０重量％の共アニオン界面活性剤；
０．５〜１０重量％のポリエチレングリコール；
０〜１５重量％の泡安定化界面活性剤；および
０〜１５重量％の任意成分
よりなる液状台所洗剤において、ポリエチレングリコールが４００〜１０００の範囲内の分子量を有することを特徴とする、上記台所洗剤。
【請求項３】
台所表面を手で洗浄する方法において、台所表面を実質的に
水；
５〜３０重量％のアニオン界面活性剤；
５〜３０重量％の共アニオン界面活性剤；
０．５〜１０重量％のポリエチレングリコール；
０〜１５重量％の泡安定化界面活性剤；および
０〜１５重量％の任意成分
よりなる洗剤に接触させ、その際にポリエチレングリコールが４００〜１０００の範囲内の分子量を有することを特徴とする、上記方法。
【発明の詳細な説明】
【０００１】
【発明の属する技術分野】
本発明は、食器を手洗いするための液状洗剤調合物に関する。更に、本発明は油、脂肪のタイプの汚れの存在下に泡の持続性が界面活性剤の性能の判断基準となる食器の手洗い用洗剤調合物に関する。
【０００２】
【従来の技術】
手洗い用液状台所洗剤、場合によっては台所表面の浄化用の軽質液状洗剤（ＬＤＬ）とも称される洗剤は良く知られている。台所表面にはカウンター天板、ストーブトップ、食器および台所環境で通常見られる他のあらゆる硬質表面を包含する。“食器”には食品の調理または消費に関係するあらゆる用具が含まれる。台所の表面、特に食器は洗浄して残留食品、グリース、タンパク質、澱粉、ガム、染料、油および焼かれた有機残さを除かなければならない。“手洗い食器洗浄”という言葉が意味する通り、製品は洗浄すべきこれらの硬質表面および製品を使用する人の皮膚の両方に接触する。
【０００３】
手洗い用台所洗剤で食器を浄化するために、最も多くの消費者に受け入れられた洗剤は第一の浄化成分のアニオン界面活性剤および最も穏やかな促進成分としての泡安定化界面活性剤、例えばアミンオキシド類、ベタイン類、および第二の界面活性剤としてのアルカノールアミド類を含有している。かなりの数の洗剤（調合物）は、混合活性系の利点をもたらすために、慣用の非イオン界面活性剤（例えばアルコールエトキシレート、アルキルフェノールエトキシレート）および／または特別な非イオン界面活性剤（即ち、アルキルポリグリコシド）を含有している。
【０００４】
かゝる調合物中のアニオン界面活性剤は一般に台所洗剤との関連で特に高い泡立ち特性をもたらす。泡安定化界面活性剤は一般に手で食器を洗浄する間に接触する皮膚への優しいさを強めた物質を含む調合物をもたらしそして水の硬度を高めそして汚れを除くことを強める性能強化をもたらす。この強められた性能強化は、汚れが洗浄溶液中にますます良く洗い落ちる様に洗浄工程の間、泡の持続性を強めると共に広範囲の水の硬度範囲にわたる高レベルの泡立ち現象に一般に現れる。
【０００５】
洗浄工程を通して除かれる多量の汚れの存在下での泡の持続性はほぼ間違いなく、消費者に信頼される最も重要な洗浄有効性の評点である。手洗い台所洗剤工業では最も重要な性能を評価するためのおよび液状の手洗い用台所洗剤の性能品質を明示するるための実験室評価法として実験室ミニプレート試験を使用している。
【０００６】
米国特許（Ｂ１）第５，９６８，８９０号明細書は肌や髪を洗浄するための液状洗剤調合物を開示し、このものは合成アニオン界面活性剤および両性界面活性剤および後者の改善のためのポリエチレングリコールを含有している。
【０００７】
米国特許（Ｂ１）第６，２６８，３３０号明細書は、スルファートおよびスルホナート系アニオン界面活性剤およびヒドロキシ脂肪酸を含有する、透明な微小エマルジョンの状態で存在しうる肌に優しい酸性の液状軽質洗剤を開示している。
【０００８】
米国特許（Ｂ１）第６，２５１，８４４号明細書は、細菌を殺しかつ肌に優しい所望の高泡立性および洗浄性を有する酸性軽質洗剤を開示している。この液状の軽質洗剤はアニオン界面活性剤、両性界面活性剤、ポリエチレングリコール、およびヒドリロキシ酸を含有している。アニオン界面活性剤はアニオン性のスルホナートのアルカリ金属塩界面活性剤とＣ８　〜Ｃ１８−エトキシル化アルキルエーテルスルファートまたはＣ８　〜Ｃ１８−アルキルエーテルスルファートのアルカリ金属塩とをスルホナート界面活性剤：スルファート界面活性剤＝（２０〜１）：１の重量比の混合物として１０〜５２重量％存在する。両性界面活性剤は水溶液性ベタインである。液状の軽質洗剤は更に製品品質全体を向上させるための本質成分としてマグネシウム塩を追加的に必要とする。
【０００９】
米国特許（Ｂ１）第６，３３９，０５７号明細書は非イオン性塩基を含有する高泡立ち性の洗剤調合物を開示している。この文献はアニオン界面活性剤とカチオン性第四殺菌剤（ｑｕａｔｅｒｎａｒｙ　ａｎｔｉｍｉｃｒｏｂｉａｌ）　との間の非相容性の問題および非イオン性界面活性剤が調合物に十分な泡立ちを一般に提供しないという問題を指摘している。
【００１０】
米国特許第５，９５５，４１１号明細書は、洗剤調合物の粘度を改善しそして調合物の瞬間泡立点を改善するために、アルキルポリグリコシドおよびポリエチレングリコールを含有する殺菌特性を有する高発泡性の軽質界面活性剤を開示している。
【００１１】
米国特許（Ｂ１）第５，６９６，０７３号明細書、同第５，７００，７７３号明細書、同第５，８３４，４１７号明細書、同第５，８５３，７４３号明細書、同第５，８５４，１９５号明細書および同第５，８５６，２９３号明細書にはアニオン界面活性剤、特に共界面活性剤、ポリエチレングリコール、無機塩、ヒドロトロープ剤およびアルキルポリグリコシド界面活性剤を含有し、そのアルキルポリグリコシドが人の肌に対して最も優しくするために添加されている一連の軽質液状洗浄剤調合物を開示している。
【００１２】
米国特許（Ｂ１）第５，９９８，３５５号明細書は、増加された粘度、より良好な溶解速度および硬水での改善された浄化性能を発揮する液体の台所洗剤を開示している。この液状の台所洗剤は１〜９０％のアニオン界面活性剤および１〜３０％の、アルコキシレートグリセリド、アルコキシレートグリセリン、アルコキシレートグリセリンのエステル、アルコキシレート脂肪酸、グリセリンのエステル、ポリグリセロールエステルおよびそれらの組合せよりなる群から選択される溶剤ヒドロトロープを含有する。。
【００１３】
【発明が解決しようとする課題】
本発明の課題は、硬水中でおよび油性および脂肪性汚れの存在下で改善された洗浄力を提供する液状の軽質洗剤を提供することである。
【００１４】
また本発明は、油性および脂肪性汚れの存在下で泡持続性を発揮する液状の軽質洗剤を製造することを課題とする。
【００１５】
本発明の別の課題はアルキルポリグリコシド（ＡＰＧ）界面活性剤の様な異種物質を排除することによって低コストで、改善された液状の軽質洗剤を提供することである。
【００１６】
【課題を解決するための手段】
本発明は、油性および脂肪性汚れの存在下での泡持続性によって評価される様な優れた性能を提供する液状の軽質洗剤または液状の手洗い用台所洗剤において使用するための種類の調合物に関する。泡の消失によってわかる様な量が段々増加する脂肪性または油性汚れの存在下での、泡の安定性を基本とする製品性能の試験が、実質的にアルキルポリグリコシドを含まない手洗い用台所洗剤の驚くべき長所を明らかにした。その際に該手洗い用台所洗剤は少なくとも２種類の異なるアニオン性界面活性剤およびポリエチレングリコールを含有している。
【００１７】
本発明の一つの実施態様においては、水、少なくとも２種の異なるアニオン界面活性剤を含有するアニオン界面活性剤混合物、ポリエチレングリコール、およびヒドロトロープおよび／または無機塩を含有する液体の台所洗剤であって、該液体の台所洗剤が実質的にアルキルポリグリコシド界面活性剤を含有していない。この洗剤はヒドロトロープ、無機塩およびそれらの混合物よりなる群から選択される相安定剤を含有している。本発明の台所洗剤で使用されるポリエチレングリコールは台所洗剤の０．５〜１０重量％含まれており、かつ４００〜１０００の分子量を有する。
【００１８】
別の実施態様においては、実質的に
水；
約５〜３０重量％のアニオン界面活性剤；
約５〜３０重量％の共アニオン界面活性剤；
約０．５〜１０重量％のポリエチレングリコール；
約０〜１５重量％の泡安定化界面活性剤；および
約０〜１５重量％の任意成分
よりなる液状の台所洗剤において、液状の該台所洗剤が実質的にアルキルポリグリコシドを含まないという条件のもとで、ポリエチレングリコールが４００〜１０００の範囲内の分子量を有している。任意成分はヒドロトロープ、香料、着色剤、ｐＨ調整剤、乳白剤、殺生物剤、保存剤、無機塩、粘度調節剤およびこれらの混合物よりなる群から選択される。
【００１９】
本発明者は、少なくとも２種の異なるアニオン界面活性剤、泡安定化界面活性剤およびポリエチレングリコールの組合せ物が、泡安定化界面活性剤と一緒にまたは該剤なしで単一のアニオン界面活性剤を有する液状のアニオン台所洗剤調合物にポリエチレングリコールを添加することによって断定された場合よりも、色々な硬度の水で、良く知られたミニプレート試験によって確かめられた通り、驚くほどに向上した洗剤性能をもたらすことを見出した。本発明は、本発明の調合物が実質的にアルキルポリグリコシド類を含有していないことに特徴がある。実質的にアルキルポリグリコシド類を含まないとは、台所洗剤がアルキルポリグリコシドを０．００５重量％より少なく量しか含まないことを意味する。ここで使用されるアルキルポリグリコシドとは、アルキルポリグリコシド類、またはアルキル多糖類、アルキル単糖類およびそれらの混合物を含むアルキルポリグリコシド界面活性剤を意味する。例にはＣ５　〜Ｃ１７−アシル−Ｎ−（Ｃ１　〜Ｃ４　−アルキル）および−Ｎ−（Ｃ１　〜Ｃ２　−ヒドロキシアルキル）グルカミンスルファートおよびアルキル多糖類のスルファート類、例えばアルキルポリグリコシドのスルファートが含まれる。アルキルポリグリコシド類の特徴は以下の米国特許明細書に記載されている：米国特許第５，８３４，４１７号明細書、米国特許（Ｂ１）第５，８５３，７４３号明細書および同第５，８５４，１９５号明細書。
【００２０】
アニオン界面活性剤：
本発明で使用するのに適するアニオン性スルホナート界面活性剤には、Ｃ５　〜Ｃ２０−直鎖状アルキルベンゼンスルホナート類、アルキルエステルスルホナート、Ｃ６　〜Ｃ２２−第一または第二アルカン−スルホナート、Ｃ６　〜Ｃ２４−オレフィンスルホナート、スルホナート化ポリカルボン酸、アルキルグリセロールスルホナート類、脂肪アシルグリセロールスルホナート類、油脂性グリセロールスルホナート類およびそれらのあらゆる混合物が含まれる。
【００２１】
本発明の調合物において使用するのに適するアニオン性スルファート界面活性剤には、直鎖状のおよび分岐した第一および第二−アルキルスルファート類、アルキルエトキシスルファート類、脂肪オレオイルグリセロールスルファート類およびアルキルフェノールエチレンオキシドエーテルスルファートが含まれる。
【００２２】
適するアニオン性カルボキシレート界面活性剤にはアルキルエトキシカルボキシレート、アルキルポリエトキシポリカルボキシレート界面活性剤および石けん（“アルキルカルボキシル類”）が含まれる。
【００２３】
有利なアニオン界面活性剤の例にはＨｏｓｔａｐｕｒ（Ｒ）　ＳＡＳ（Ｃｌａｒｉａｎｔ　Ｃｏｒｐｏｒａｔｉｏｎ，　Ｃｈａｒｌｏｔｔｅ，　Ｎｏｒｔｈ　Ｃａｒｏｌｉｎａ）の登録商標で市販される第二アルカンスルホナートのナトリウム塩がある。
【００２４】
ポリエチレングリコール：
ポリエチレングリコールの分子量が洗剤の性能に重要な影響を及ぼすことが判った。４００〜１０００の範囲内の分子量を有するポリエチレングリコールが最も大きな利益をもたらす。本発明の調合物で使用されるポリエチレングリコールは２００〜１，５００の分子量を有し、その際該ポリエチレングリコールは以下の構造式で表される：
ＨＯ（ＣＨ２　ＣＨ２　Ｏ）ｎ　−Ｈ
【００２５】
該式中ｎは４〜２５である。本発明の調合物においてポリエチレングリコールの濃度は０．５〜１０重量％、更に好ましくは０．７５〜６重量％である。ポリエチレングリコールの分子量は好ましくは４００〜１５００であり、特に好ましいポリエチレングリコールの分子量は４００〜１０００の範囲内、中でも４００〜８００の範囲内のポリエチレングリコールが好ましい。
【００２６】
水：
本発明の調合物の最終成分は水である。該調合物中の水の割合は一般に通例の調合物の３５〜８５重量％、好ましくは５０〜８０重量％である。
【００２７】
アミンオキシド：
本発明で有用なアミンオキシド類は長鎖のアルキルアミンオキシド類、即ち式
Ｒ３　（ＯＲ４　）ｘ　−（ＮＯ）−（Ｒ５　）２　
で表される化合物を包含する。
【００２８】
式中、Ｒ３　は８〜２６個の炭素原子、好ましくは８〜１６個の炭素原子を有するアルキル、ヒドロキシアルキル、アシルアミドプロピルおよびアルキルフェニル基およびそれらの混合物よりなる群から選択され；Ｒ４　は２〜３個、好ましくは２個の炭素原子を持つアルキレンまたはヒドロキシアルキレン、またはそれらの混合物であり；ｘは０〜３、好ましくは０であり；そして各Ｒ５　は１〜３個、好ましくは１〜２の炭素原子を持つアルキルまたはヒドロキシアルキル、または１〜３個、好ましくは１個のエチレンオキシド基を持つポリエチレンオキシドである。基Ｒ５　は酸素または窒素原子を介して互いに結合して環構造を形成してもよい。
【００２９】
これらのアミンオキシド界面活性剤は特にＣ１０〜Ｃ１８−アルキルジメチルアミンオキシド類およびＣ８　〜Ｃ１２−アルコキシエチルジヒドロキシエチルアミンオキシド類およびアルキルアミドプロピルアミンオキシドを含む。かゝる物質の例にはジメチルオクチルアミンオキシド、ジエチルデシルアミンオキシド、ビス−（２−ヒドロキシエチル）ドデシルアミンオキシド、ジメチルドデシルアミンオキシド、ドデシルアミドプロピルジメチルアミンオキシドおよびジメチル−２−ヒドロキシオクタデシルアミンオキシドが含まれる。Ｃ１０〜Ｃ１８−アルキルジメチルアミンオキシドおよびＣ１０〜Ｃ１８−アシルアミドアルキル−ジメチルアミンオキシドが有利である。
【００３０】
ベタイン：
本発明で有用なベタイン類は式
Ｒ（Ｒ１　）２　ＮＲ２　ＣＯＯ−　
［式中、ＲはＣ６　〜Ｃ１８−ヒドロキシカルビル基、好ましくはＣ１０〜Ｃ１６−アルキル基であり、各Ｒ１　は一般にＣ１　〜Ｃ３　−アルキル、好ましくはメチルでありそしてＲ２　はＣ１　〜Ｃ５　−ヒドロキシカルビル基、好ましくはＣ１　〜Ｃ５　−アルキレン基、更に好ましくはＣ１　〜Ｃ２　−アルキレン基である。］
で表される化合物である。適するベタイン類の例にはココヤシ−アシルアミドプロピルジメチルベタイン；ヘキサデシルジメチルベタイン；Ｃ１２〜Ｃ１４−アシルアミドプロピルベタイン；Ｃ１２〜Ｃ１８−アシルアミドヘキシルジエチルベタイン；４−［Ｃ１４〜Ｃ１６−アシルメチルアミドジエチルアモニオ］−１−カルボキシブタン；Ｃ１６〜Ｃ１８−アシルアミドジメチルベタイン；Ｃ１２〜Ｃ１６−アシルアミドペンタンジエチル−ベタイン；Ｃ１２〜Ｃ１６−アシルメチル−アミドジメチル−ベタイン；およびココアミドプロピルベタインがある。有利なベタイン類はＣ１２〜Ｃ１８−ジメチルアモニオヘキサノエートおよびＣ１０〜Ｃ１８−アシルアミドプロパン（またはエタン）ジメチル（またはジエチル）ベタイン類である。式
Ｒ（Ｒ１　）２　Ｎ＋Ｒ２　ＳＯ３　−−
［式中、ＲはＣ６　〜Ｃ１８−ヒドロキシカルビル基、好ましくはＣ１０〜Ｃ１６−アルキル基、更に好ましくはＣ１２〜Ｃ１３−アルキル基であり、各Ｒ１　は一般にＣ１　〜Ｃ３　−アルキル、好ましくはメチルでありそしてＲ２　はＣ１　〜Ｃ６　−ヒドロカルビル基、好ましくはＣ１　〜Ｃ３　−アルキレン基または、好ましくはヒドロ
キシアルキレン基である。］
で表されるスルホベタイン類（スルタイン類（ｓｕｌｔａｉｎｅｓ）　）も含まれる。適するスルタイン類の例にはＣ１２〜Ｃ１４−ジヒドロキシエチルアモニオ−　プロパンスルホナートおよびＣ．　置換．１６　〜Ｃ．　置換．１８　−ジメチルアモニオ−ヘキサン−スルホナートがあり、Ｃ１２〜Ｃ１４−アミドプロピルアモニオ−２−ヒドロキシプロピル−スルタインが有利である。
【００３１】
アルカノールアミド化合物類：
本発明の調合物にはアルカノールアミド化合物、例えばアルキルモノアルカノールアミド、アルキルジアルカノールアミド、およびそれらの混合物も含まれ得る。
【００３２】
ヒドロトロープ：
本発明の調合物はエタノール、イソプロパノール、キシレンスルホン酸ナトリウム、プロピレングリコール、ジプロピレングリコール、クメンスルホン酸ナトリウムおよびそれらの混合物よりなる群から選択されるヒドロトロープを含有していてもよい。
【００３３】
無機塩：
本発明の調合物は多価カチオン、特に相安定化特性を持つＭｇ＋＋の無機塩または有機塩または酸化物を含有していてもよい。多価カチオン塩または酸化物は希釈状態の用途で、特に軟質水分野において改善された洗浄性能を含めた幾つかの利益をもたらし、そして微小エマルジョン状態を得るために最小限の量の香料しか必要としない。硫酸マグネシウムの無水物または水和物（７水和物）の両方がマグネシウム塩として特に有利である。酸化マグネシウム、塩化マグネシウム、酢酸マグネシウム、プロピオン酸マグネシウムおよび水酸化マグネシウムでも良好な結果が報告された。これらのマグネシウム塩は水酸化マグネシウムが中性または酸性ｐＨ域において沈殿しないので、中性または酸性ｐＨでの調合物に使用することができる。
【００３４】
マグネシウムは塩（酸化物および水酸化物を含む）を生成する有利な多価カチオンであるとは言え、他の多価金属イオンもそれの塩が非毒性でありそして所望のｐＨ域での系の水性相に溶解することを前提として使用することができる。
【００３５】
本発明の液状洗浄調合物は所望の場合には、追加的な効果をもたらすかまたは消費者により魅力的な製品を提供するために他の任意の成分も含有してもよい。以下に実施例によって説明する：０．５重量％までの量の着色剤または染料；２重量％までの量の保存剤または酸化防止剤、例えばホルマリン、５−ブロモ−５−ニトロ−ジオキサン−１，３；５−クロロ−２−メチル−４−イソタリアゾリン−３−オン、２，６−ジ第三ブチル−ｐ−クレゾール等；必要な量のｐＨ調整剤、例えば硫酸または水酸化ナトリウム。更に白濁調合物が望まれる場合には、４重量％までの乳白剤を添加してもよい。好ましくは任意成分は、ヒドロトロープ、香料、着色剤、ｐＨ調整剤、保存剤、殺生物剤、無機塩、乳白剤、粘度調節剤およびこれらの混合物よりなる群から選択される
【００３６】
本発明の調合物において、本発明の長所を達成するためにある種のパラメータが必要であることが判った。洗剤中の界面活性剤総量は洗剤中の全界面活性剤、例えばアニオン界面活性剤、あらゆる非イオン界面活性剤およびあらゆる両性界面活性剤を含む。ポリエチレングリコール（ＰＥＧ）は界面活性剤とみない。手洗い用台所洗剤は全部で１５〜６０重量％の界面活性剤を含有し、更に好ましくは該手洗い用台所洗剤は全部で２０〜５０重量％の界面活性剤を含有しそして最も好ましくは全部で２０〜４０重量％の界面活性剤を含有する。第一のアニオン界面活性剤と第二のアニオン界面活性剤との比が０．５と１．０未満との間の範囲にあるのが更に好ましい。泡安定化界面活性剤とアニオン界面活性剤混合物との比は１：２またはそれ以下であるべきである。
【００３７】
本発明において、油性または脂肪性汚れの存在下に泡の持続性をもたらすアニオン性界面活性剤を含む界面活性剤組成物が探し求められた。泡の消失によってわかる様な量が段々増加する脂肪性または油性汚れの存在下での、泡の安定性を基本とする製品性能の試験が、少なくとも２種類のアニオン界面活性剤とポリエチレングリコールを含む液状の手洗い用台所洗剤の驚くべき長所を示した。ワンセットの実験で、第二アルカンスルホナートとアルキルエーテルスルファートとの両方をほぼ等しい割合で含有する３８〜４２重量％のアニオン界面活性剤および泡安定化界面活性剤、例えばアミンオキシドまたはココアミドプロピルベタインを含有する台所洗剤（調合物）をポリエチレングリコールの分子量を増加させて試験した。４００〜８００の範囲内の分子量を有するポリエチレングリコールを添加するのが１５０ｐｐｍの硬度の水で、良く知られたミニプレート試験によって測定される通り、性能を顕著に向上させることが判った。１５０ｐｐｍの水準の硬度では、４００〜８００の範囲内の分子量を有するポリエチレングリコールを含有する調合物の性能は、ポリエチレングリコールを含まないかまたは８００より大きい分子量のポリエチレングリコールを低濃度で含む調合物より２０〜４０％向上する。３００ｐｐｍの硬度水準では、ポリエチレングリコールの添加は４００〜８００のポリエチレングリコール分子量にわたって類似のある程度の利益が得られるが、それは比較的に低下した水準である。
【００３８】
ミニプレートテスト（ｍｉｎｉ−ｐｌａｔｅ　ｔｅｓｔ）　で測定される様な本発明の調合物の予期できなかった弾力のある泡特性を以下の実施例で実証する。瞬間的な泡形成はミニプレート洗剤性能の確かな前兆ではないことも測定された。
【００３９】
以下の実施例において調合物の泡生成（しばしば瞬間的泡立ちと称する）は洗剤分野で良く知られた方法で測定される。表示した希釈水準での各調合物の１００ｍＬのサンプルを２５℃の室温を含めた雰囲気条件で５００ｍＬの傾斜シリンダー中に入れた。各サンプルを均一に震盪しそして得られる泡を傾斜シリンダー中の１００ｍＬ以上の水準に現れる泡の容積を測定する。
【００４０】
各調合物の洗浄力性能効果を、一連の汚れた小型板（硬質面）を一連の方式で標準条件のもとで手洗い台所洗剤サンプルの溶液中でブラシを用いて、泡の差別が可能でかつ再現性ある外観が達成されるまで洗浄する。標準条件は２５℃の室温を含む。洗浄される小型板の数を商業基準に比較する。小型板は、　Ｐｒｏｃｔｅｒ　＆Ｇａｍｂｌｅ　Ｃｏｍｐａｎｙ　から登録商標名　Ｃｒｉｓｃｏ　で入手できる赤く着色された部分的に水素化された植物油で汚れている。
【００４１】
【実施例】
以下の実施例で本発明の液状の洗浄剤調合物を詳細に説明する。他の指摘がない限り、全ての百分率は重量％である。例示した調合物は本発明の範囲を説明するが、範囲の限界ではない。他の説明がない限り、実施例および明細書の他の部分における百分率は重量％である。
【００４２】
実施例Ｉ：
少なくとも２種類のアニオン界面活性剤を含む調合物を製造しそして（洗浄される小型板の数によって測定される）洗浄力性能を評価する。調合物Ａ−Ｆにおいては第一のアニオン界面活性剤が第二ナトリウムアルカンスルホナートを含有しそして共アニオン界面活性剤がアルキルエーテルスルファートを含有している。これらのブレンドの全てが全部で３７．５重量％の界面活性剤を含有しそして０．８７５のスルホナートとスルファートの比を有する。調合物Ａ−Ｆは泡安定化界面活性剤としてココアミドプロピルベタインをおよび表１に示した通りヒドロトロープとしてエタノールを含有する。調合物Ｂ−Ｆは４００〜１５００の分子量範囲にわたるポリエチレングリコール（ＰＥＧ）成分を３．８重量％（全界面活性剤の１０％）の量で含有する。１５０ｐｐｍの水硬度で回転シリンダー試験で測定される如き泡生成は分子量全範囲にわたるポリエチレングリコールを添加する基本調合物Ａよりも改善されていることを示した。しかしながら３００ｐｐｍの硬度の水中での泡生成は調合物Ｂ−Ｆでのポリエチレングリコール添加物の分子量範囲にわたってあまり改善されていないかまたは全く改善されていないことを示した。表１に示す通り、良く知られたミニプレート試験、即ち、１５０ｐｐｍまたは３００ｐｐｍの硬度の水で洗浄したミニプレートの測定された枚数によると、ポリエチレングリコールまたはＰＥＧ（Ｂ−Ｆの欄参照）を含む全ての調合物は油性汚れの存在下で著しく増加した洗浄力性能を発揮した。ミニプレートの洗浄性能における最も顕著な増加は、ポリエチレングリコールの分子量が６００である時の調合物Ｃにおいて見られる。この増強された性能は６００以上の分子量から１０００の分子量までにわたっており、その際にポリエチレングリコールの分子量が１５００に近づく時に衰える。この増強された洗浄力性能は６００の分子量値より下に４００までにわたっている。本発明の調合物の洗浄力性能を、ＰＥＧを含まないベース混合物Ａの性能に比較して示す。泡持続性によって測定される如き、ＰＥＧ添加による洗浄力性能のこの傾向は、１５０ｐｐｍの硬度の水中で得られる泡発生によって示されたが、３００ｐｐｍの硬度の水で得られる泡生成では示されなかった。
【００４３】
実施例ＩＩ：
調合物Ｇは少なくとも２種類のアニオン界面活性剤、ココアミドプロピルベタインおよびエタノール（ヒドロトロープ）を含む調合物である。三種類の界面活性剤（二種類のアニオン界面活性剤と泡安定化界面活性剤）の比はＡ−Ｆの系の水準に維持したが、全体の界面活性剤はＢ−Ｆの系で添加されるＰＥＧの水準に相当する３．８％だけ増した。このケースをＢ−Ｅのケースと比較しそしてＰＥＧ（４００〜１０００分子量）成分なしでは界面活性剤の全量の増加はＰＥＧ含有混合物の利益を達成しないことおよび１５０ｐｐｍの水での洗浄力性能は基本混合物（ケースＡ）に比較して、泡生成利益があることを泡形成試験が示すにもかかわらず実質的に低下する。
【００４４】
実施例ＩＩＩ　：
調合物Ｈ−Ｊ、Ｅは少なくとも２種類のアニオン界面活性剤、ココアミドプロピルベタイン、エタノール（ヒドロトロープ）および分子量６００のＰＥＧを含む一連の調合物を示しており、ＰＥＧの含有量を０．５〜３．８重量％に増加されている。このシリーズＨ−Ｊ、ＥをＰＥＧを含まないケースＡと比較し、０．５％のＰＥＧの添加が高い水硬度において洗浄力性能（ミニプレート）の増加をもたらすが、高いＰＥＧ濃度（１〜３．８％）では基本調合物Ａに比較してミニプレート試験で示される洗浄力性能の更なる本質的な増加がある。特に大きい硬度の水中でそうである。反対に、３００ｐｐｍの硬度での泡生成では利益が見えず、１５０ｐｐｍの水準での泡生成は分子量６００のＰＥＧの添加量の増加につれて利益の減少が示された。
【００４５】
実施例ＩＶ：
表２に示した他のシリーズの調合物（Ｋ−Ｍ）は、ＰＥＧ量を増加させながら第一のアニオン界面活性剤の第二ナトリウムアルカンスルホナート、および第二のまたは共アニオン界面活性剤のアルキルエーテルスルファートを含有する調合物を明らかに示している。これらの系はあらゆる追加的界面活性剤を含有していない。調合物ＫはＰＥＧを含まないがアルカンスルホナートおよびアルコールエーテルスルファートの両界面活性剤を含む修正基本混合物を示している。新しい基本混合物としての調合物Ｋから出発し、公称分子量６００のＰＥＧの量を調合物Ｌでは３．８重量％にそして調合物Ｍでは５．０重量％のレベルまで添加量を増加させ、洗浄力性能がミニプレート試験によると低い硬度では僅かしか改善されないが、ＰＥＧを含まない混合物Ｋよりも著しく増加していることが驚くべきことに判った。相応する泡生成試験では調合物ＬおよびＭでのＰＥＧの添加での改善がないことが判った。
【００４６】
実施例Ｖ：
表２に示した調合物Ｎ−Ｏは、一種類のアニオン界面活性剤であるアルキルエーテルスルファートがエタノールおよびココアミドプロピルベタインと一緒に使用した一連の比較用調合物を示している。調合物ＯはＮと同じ処方であるが、３．８重量％の分子量６００のＰＥＧを含有する。シリーズ（Ｎ−Ｏ）では調合物Ｎ（ＰＥＧ不含）を調合物Ｏ（ＰＥＧ３．８重量％）と比較することができ、３．８重量％のレベルでのＰＥＧの添加が、唯一のアニオン界面活性剤しか存在しない場合にミニプレート洗浄力性能の減少をもたらすことを明瞭に示している。調合物Ｏの結果における泡生成は１５０ｐｐｍの水硬度での泡生成と混合して僅かに改善するが、３００ｐｐｍの硬度での泡生成は調合物Ｎに比較して低下する。
【００４７】
実施例ＶＩ：
表２に示した調合物Ｐ−ＱおよびＲ−Ｓは、界面活性剤の合計量をそれぞれ１０重量％および２０重量％に減少させた一連の比較用調合物を示している。調合物Ｐ−Ｑは、ケースＡと同じ三種類の界面活性剤比であるにもかかわらず、１０重量％だけの界面活性剤合計量の調合物に３．８重量％のＰＥＧを添加しても明らかな利益がないことを示している。調合物ＰおよびＱでの泡生成はこのレベルの界面活性剤合計量ではＰＥＧの添加による利益があまり無いことを示している。調合物Ｒ−Ｓは、界面活性剤合計量が１５０ｐｐｍの硬度の水中で２０重量％である時にマルチプレート洗浄力性能に僅かな利益があるが、３００ｐｐｍの硬度での洗浄力性能の増加は僅かだけであることを示している。調合物Ｒでの泡生成は調合物Ｓよりも僅かしか改善されない。
【００４８】
実施例ＶＩＩ　：
表３に示した調合物Ｔ−Ｖは、第二ナトリウムアルカンスルホナートとα−オレフィンスルホナートの二種類のアニオン界面活性剤をアミンオキシドおよび硫酸マグネシウムと一緒に含有する一連の比較用調合物を示している。ＰＥＧは調合物Ｕには２重量％、そして調合物Ｖには３重量％存在している。アルコールは含まれていない。このシリーズ（Ｔ−Ｖ）において、界面活性剤の合計量は４２重量％である。調合物ＵおよびＶの両方は調合物Ｔよりも明らかな洗浄力性能の改善を示し、二種類のアニオン界面活性剤系にＰＥＧを添加することによってもたらされる予期し得なかった性能上の利益を実証している。反対に、泡生成の結果は、調合物Ｔに比較して３００ｐｐｍの硬度レベルにおいて調合物Ｖでの泡生成の僅かな改善があるけれども、調合物Ｔに比較してＰＥＧ添加量を増加することで泡生成が減少することを示している。
【００４９】
実施例ＶＩＩＩ：
表３に示した調合物Ｗ−Ｚは、一種類だけのアニオン界面活性剤の第二ナトリウムアルカンスルホナートが泡安定化界面活性剤のアミンオキシドと一緒に合計して４２重量％の濃度で存在する一連の比較用調合物を示している。ＰＥＧはケースＸ−Ｚの場合には、ケースＸ、ＹおよびＺのそれぞれにおいて２重量％、３．８重量％および５．０重量％の量で存在している。ケースＸ−Ｚにおいて洗浄力性能は調合物中のＰＥＧの増加につれて減少する。泡生成の結果はＰＥＧ添加により如何なる僅かな利益も示していない。これは、ＰＥＧによってもたらされる予期し得なかった性能向上を達成するためには、少なくとも２種類のアニオン界面活性剤が必要であることを再度実証している。
【００５０】
実施例ＩＸ：
表３に示した調合物ＡＡ−ＣＣは、調合物Ａ、ＪおよびＣに類似する一連の比較用調合物であり、それらには無機塩の硫酸マグネシウムが２重量％の濃度で存在しそしてエタノールが存在していない。ＰＥＧはケースＢＢおよびＣＣにおいてそれぞれ２重量％、３．８重量％の量で存在している。ケースＢＢおよびＣＣにおいては洗浄力性能が調合物中のＰＥＧの増加に比例して有益であることを示している。調合物ＢＢおよびＣＣにおける泡生成は調合物ＡＡに比較して僅かな改善があった。
【表１】
2004051958.tif 000002
【表２】
2004051958.tif 000003
【表３】
2004051958.tif 000004